(57)【要約】【課題】  放送エリア間を移動しても中断することなくデジタル放送を継続受信可能な移動体デジタル放送受信システム、情報センタ、及び移動体を提供する。【解決手段】  デジタル放送番組・及びデータ放送受信中、受信レベル判定器２２は、車両の移動に伴って変化する受信レベルを随時計測し、チャンネル選択器２８は、計測された受信レベルにより、受信に障害が発生しそうな事態が検出されたか否かを判定する。もし、受信に障害が発生しそうな事態が検出された場合、チャンネル選択器２８は、予め経路情報から情報センタにおいて判定されたデジタル放送データ蓄積器２６に蓄積されている他のデジタル放送エリアから、自車位置に対応するデジタル放送エリアを選択する。そして、選択したデジタル放送エリアに現視聴・データ受信放送番組と同一番組が存在する場合、チャンネル選択器２８は、選択したデジタル放送エリアの番組と現視聴番組との切り替えを行う。【選択図】  図１
2005277727.tif 000002
【特許請求の範囲】
【請求項１】
移動体と情報センタとを有する移動体デジタル放送受信システムであって、
前記移動体が、
外部との通信を行う通信端末と、
目的地までの経路情報を算出する経路情報算出手段と、
前記経路情報算出手段が出力する目的地までの経路情報を前記通信端末を介して前記情報センタへ送信する経路情報送信手段と、
前記目的地までの経路上のデジタル放送エリア情報、及び該デジタル放送エリアにおける番組情報を前記通信端末を介して前記情報センタから受信する放送情報受信手段と、
前記デジタル放送エリア情報、及び前記番組情報を蓄積するための蓄積手段を備えたデジタル放送を受信するデジタル放送受信機と
を具備し、
前記情報センタが、前記通信端末から送信された前記移動体の経路情報を受信し、該経路情報に基づいて前記移動体の経路上のデジタル放送エリアを判定すると共に、判定されたデジタル放送エリア情報、及び該デジタル放送エリアにおける番組情報を前記移動体へ送信する
ことを特徴とする移動体デジタル放送受信システム。
【請求項２】
移動体と情報センタとを有する移動体デジタル放送受信システムであって、
前記移動体が、
外部との通信を行う通信端末と、
現在地を評定する位置評定手段と、
目的地情報及び前記位置評定手段が出力する現在地情報を前記通信端末を介して前記情報センタへ送信する位置情報送信手段と、
前記目的地情報と前記現在地情報とに基づく経路上のデジタル放送エリア情報、及び該デジタル放送エリアにおける番組情報を前記通信端末を介して前記情報センタから受信する放送情報受信手段と、
前記デジタル放送エリア情報、及び前記番組情報を蓄積するための蓄積手段を備えたデジタル放送を受信するデジタル放送受信機と
を具備し、
前記情報センタが、前記通信端末から送信された前記移動体の目的地情報及び現在地情報を受信して該移動体の経路情報を算出し、該経路情報に基づいて前記移動体の経路上のデジタル放送エリアを判定すると共に、判定されたデジタル放送エリア情報、及び該デジタル放送エリアにおける番組情報を前記移動体へ送信する
ことを特徴とする移動体デジタル放送受信システム。
【請求項３】
少なくとも前記番組情報が、前記デジタル放送エリアを前記移動体が通過する予定時刻帯の番組情報を含む
ことを特徴とする請求項１、または請求項２に記載の移動体デジタル放送受信システム。
【請求項４】
前記目的地までの経路が変更された場合、前記放送情報受信手段が、経路変更前と経路変更後における前記デジタル放送エリア情報及び前記番組情報の差分を更新する
ことを特徴とする請求項１から請求項３のいずれかに記載の移動体デジタル放送受信システム。
【請求項５】
前記デジタル放送受信機が、
デジタル放送の受信品質を判定する受信品質判定手段と、
受信番組を変更する番組変更手段と
を備え、
前記受信品質判定手段の判定結果により受信障害が発生しそうな事態を検出した場合、受信障害が発生する前に、前記番組変更手段が、前記蓄積手段に蓄積された前記デジタル放送エリア情報に基づいて、受信番組を受信可能なデジタル放送エリアの番組に変更する
ことを特徴とする請求項１から請求項４のいずれかに記載の移動体デジタル放送受信システム。
【請求項６】
前記受信可能なデジタル放送エリアの番組中に受信していた番組と同じ番組がある場合には、前記番組変更手段が、受信番組を前記受信可能なデジタル放送エリアの同じ番組に変更する
ことを特徴とする請求項５に記載の移動体デジタル放送受信システム。
【請求項７】
移動体に設置された通信端末との通信を行う通信手段と、
前記通信手段を介して受信した前記移動体の経路情報に基づいて、前記移動体の経路上のデジタル放送エリアを判定し、デジタル放送エリア情報を出力する放送エリア判定手段と、
判定された前記デジタル放送エリアの番組情報を取得する番組情報判定手段と、
前記デジタル放送エリア情報、及び該デジタル放送エリアの番組情報を、前記通信手段を介して前記移動体へ送信する送信手段と
を有することを特徴とする情報センタ。
【請求項８】
移動体に設置された通信端末との通信を行う通信手段と、
前記通信手段を介して受信した前記移動体の目的地情報及び現在地情報から該移動体の経路情報を算出して、該経路情報に基づいて前記移動体の経路上のデジタル放送エリアを判定し、デジタル放送エリア情報を出力する放送エリア判定手段と、
判定された前記デジタル放送エリアの番組情報を取得する番組情報判定手段と、
前記デジタル放送エリア情報、及び該デジタル放送エリアの番組情報を、前記通信手段を介して前記移動体へ送信する送信手段と
を有することを特徴とする情報センタ。
【請求項９】
少なくとも前記番組情報が、前記デジタル放送エリアを前記移動体が通過する予定時刻帯の番組情報を含む
ことを特徴とする請求項７、または請求項８に記載の情報センタ。
【請求項１０】
外部との通信を行う通信端末と、
目的地までの経路情報を算出する経路情報算出手段と、
前記経路情報算出手段が出力する目的地までの経路情報を前記通信端末を介して情報センタへ送信する経路情報送信手段と、
前記目的地までの経路上のデジタル放送エリア情報、及び該デジタル放送エリアにおける番組情報を前記通信端末を介して前記情報センタから受信する放送情報受信手段と、
前記デジタル放送エリア情報、及び前記番組情報を蓄積するための蓄積手段を備えたデジタル放送を受信するデジタル放送受信機と
を備えた移動体において、
前記デジタル放送受信機が、
デジタル放送の受信品質を判定する受信品質判定手段と、
受信番組を変更する番組変更手段と
を備え、
前記受信品質判定手段の判定結果により受信障害が発生しそうな事態を検出した場合、受信障害が発生する前に、前記番組変更手段が、前記蓄積手段に蓄積された前記デジタル放送エリア情報に基づいて、受信番組を受信可能なデジタル放送エリアの番組に変更する
ことを特徴とする移動体。
【請求項１１】
外部との通信を行う通信端末と、
現在地を評定する位置評定手段と、
目的地情報及び前記位置評定手段が出力する現在地情報を前記通信端末を介して情報センタへ送信する位置情報送信手段と、
前記目的地情報と前記現在地情報とに基づく経路上のデジタル放送エリア情報、及び該デジタル放送エリアにおける番組情報を前記通信端末を介して前記情報センタから受信する放送情報受信手段と、
前記デジタル放送エリア情報、及び前記番組情報を蓄積するための蓄積手段を備えたデジタル放送を受信するデジタル放送受信機と
を備えた移動体において、
前記デジタル放送受信機が、
デジタル放送の受信品質を判定する受信品質判定手段と、
受信番組を変更する番組変更手段と
を備え、
前記受信品質判定手段の判定結果により受信障害が発生しそうな事態を検出した場合、受信障害が発生する前に、前記番組変更手段が、前記蓄積手段に蓄積された前記デジタル放送エリア情報に基づいて、受信番組を受信可能なデジタル放送エリアの番組に変更する
ことを特徴とする移動体。
【請求項１２】
少なくとも前記番組情報が、前記デジタル放送エリアを通過する予定時刻帯の番組情報を含む
ことを特徴とする請求項１０、または請求項１１に記載の移動体。
【請求項１３】
前記目的地までの経路が変更された場合、前記放送情報受信手段が、経路変更前と経路変更後における前記デジタル放送エリア情報及び前記番組情報の差分を更新する
ことを特徴とする請求項１０から請求項１２のいずれかに記載の移動体。
【請求項１４】
前記受信可能なデジタル放送エリアの番組中に受信していた番組と同じ番組がある場合には、前記番組変更手段が、受信番組を前記受信可能なデジタル放送エリアの同じ番組に変更する
ことを特徴とする請求項１０から請求項１３のいずれかに記載の移動体。
【発明の詳細な説明】
【技術分野】
【０００１】
本発明は、自動車等の車両においてデジタル放送を受信するために利用する移動体デジタル放送受信システム、情報センタ、及び移動体に関する。
【背景技術】
【０００２】
従来、利用者に好みのジャンルを入力させると共に、目的地までの経路情報を算出してナビゲーションを行うナビゲーション装置により、利用者の移動に伴う経路設定を行い、現在地から目的地までの経路上の各地点で、利用者の好みのジャンルの番組を放送している放送局を選択して放送番組を受信するように番組プランを作成し、移動中の利用者に番組プランに従って放送番組を聴取させる番組自動構成装置がある。具体的には、番組プラン作成手段が目的地までの経路上の放送局各々の番組表、利用者の好みのジャンル、及び当該番組プラン作成時の現在時刻に基づいて、目的地までの経路上の各地点で受信する放送局を決定して番組プランを作成する。そして、出力切替え手段がこの番組プランに基づいて、放送取得手段により受信する放送電波を移動体の経路上の位置に応じて自動的に切り替えてスピーカから出力させる（例えば、特許文献１参照。）。
【０００３】
また、地上波デジタル放送を移動体において受信する場合に、移動体が現在の受信エリアから外れても容易に同一番組を受信できるように、移動体が移動した際に、予め記憶した放送局の周波数情報に基づいて受信対象とする放送局を切り替えるデジタル放送受信機がある。具体的には、デジタル放送受信機に、目的地までのナビゲーションを行うナビゲーションシステムと、受信レベルが低下して受信不能状態となった場合に、ナビゲーションシステムによって得られる現在地情報から受信可能な放送局をサーチする放送局サーチ手段を備え、放送局サーチ手段によってサーチされた放送局の番組の中から直前まで受信していた番組を探して受信する（例えば、特許文献２参照。）。
【０００４】
また、同様に地上波デジタル放送を移動体において受信する場合に、移動体が現在の受信エリアから外れても容易に同一番組を受信できるように、現在地における選局情報を地上波デジタル放送以外の通信手段により取得して選局を行うものもある。具体的には、移動体の移動中に受信エリアから外れて番組の受信が困難になった場合、ＦＭ文字多重放送、光ビーコン、及び電波ビーコン等の道路上で情報取得可能な通信手段を介して、現在地において受信可能な新たな選局情報を取得する。これにより、地上波デジタル放送受信機によるチャンネルサーチを行うことなく、直ちに同一番組の選局が可能となる（例えば、特許文献３参照。）。
【特許文献１】特開２００２−１５２０６７号公報
【特許文献２】特開２００１−２８５１０１号公報
【特許文献３】特開２００２−３５３８２９号公報
【発明の開示】
【発明が解決しようとする課題】
【０００５】
ところで、特許文献１に記載されている従来の装置では、移動体の移動に伴った現在地から目的地までの経路上の各地点で、利用者の好みのジャンルの番組を放送している放送局を選択して放送番組を受信するものの、目的地までの経路上の各地点で受信する放送局を決定して番組プランを作成する処理を、全て移動体側の番組自動構成装置で行うため、装置に対する処理負担が増大するという問題があった。特に、装置に対する処理負担の増大は、装置の消費電力の上昇や装置の大型化を招くため、移動体が例えば自動車等の車両の場合に、消費電力の上昇や大型化に伴い装置が車両搭載に適さなくなるという問題があった。
【０００６】
一方、特許文献２や特許文献３に記載されている従来の装置では、移動体が現在の受信エリアから外れても容易に同一番組を受信できるように、予め記憶した放送局の周波数情報や、地上波デジタル放送以外の通信手段により取得した現在地における選局情報に基づいて、受信対象とする放送局を切り替えるものの、前述の特許文献１に記載されている従来の装置も含め、これらの装置は、移動体が現在の受信エリア（放送エリア）を離れたり、次のエリアに移動することにより受信不能状態となってから受信対象とする放送局を切り替えるため、どうしてもエリアの境界において受信が中断してしまうという問題があった。
【０００７】
本発明は、上記課題に鑑みてなされたもので、自動車等の車両においてデジタル放送を受信する際に、放送エリア間を移動しても中断することなくデジタル放送を継続受信可能な移動体デジタル放送受信システム、情報センタ、及び移動体を提供することを目的とする。
【課題を解決するための手段】
【０００８】
上記課題を解決するために、請求項１の発明に係る移動体デジタル放送受信システムは、移動体（例えば後述する実施例の移動体装置１）と情報センタ（例えば後述する実施例の情報センタ２）とを有する移動体デジタル放送受信システムであって、前記移動体が、外部との通信を行う通信端末（例えば後述する実施例の通信端末１６）と、目的地までの経路情報を算出する経路情報算出手段（例えば後述する実施例の経路誘導算出器４２）と、前記経路情報算出手段が出力する目的地までの経路情報を前記通信端末を介して前記情報センタへ送信する経路情報送信手段（例えば後述する実施例の通信データ送受信器４３）と、前記目的地までの経路上のデジタル放送エリア情報、及び該デジタル放送エリアにおける番組情報を前記通信端末を介して前記情報センタから受信する放送情報受信手段（例えば後述する実施例の通信データ送受信器４３）と、前記デジタル放送エリア情報、及び前記番組情報を蓄積するための蓄積手段（例えば後述する実施例のデジタル放送データ蓄積器２６）を備えたデジタル放送を受信するデジタル放送受信機（例えば後述する実施例のデジタル放送受信機１２）とを具備し、前記情報センタが、前記通信端末から送信された前記移動体の経路情報を受信し、該経路情報に基づいて前記移動体の経路上のデジタル放送エリアを判定すると共に、判定されたデジタル放送エリア情報、及び該デジタル放送エリアにおける番組情報を前記移動体へ送信することを特徴とする。
【０００９】
以上の構成を備えた移動体デジタル放送受信システムは、移動体が、経路情報算出手段により該移動体の経路情報を算出し、通信端末を介して経路情報送信手段により情報センタへ該経路情報を送信するので、情報センタにおいて、移動体から送信された経路情報に基づいて該移動体の経路上のデジタル放送エリアを判定すると共に、判定されたデジタル放送エリア情報、及び該デジタル放送エリアにおける番組情報を予め移動体へ送信する。一方、移動体では、情報センタから送信された移動体の経路上のデジタル放送エリア情報、及び該デジタル放送エリアにおける番組情報を放送情報受信手段により受信して、デジタル放送受信機に備えられた蓄積手段に蓄積することにより、その移動に伴って変化するデジタル放送エリア及び受信番組を、事前に情報センタから受信したデジタル放送エリア情報、及び該デジタル放送エリアにおける番組情報に基づいて切り替えることができる。
【００１０】
請求項２の発明に係る移動体デジタル放送受信システムは、移動体（例えば後述する実施例の移動体装置１）と情報センタ（例えば後述する実施例の情報センタ２）とを有する移動体デジタル放送受信システムであって、前記移動体が、外部との通信を行う通信端末（例えば後述する実施例の通信端末１６）と、現在地を評定する位置評定手段（例えば後述する実施例の自車位置評定装置４１）と、目的地情報及び前記位置評定手段が出力する現在地情報を前記通信端末を介して前記情報センタへ送信する位置情報送信手段（例えば後述する実施例の通信データ送受信器４３）と、前記目的地情報と前記現在地情報とに基づく経路上のデジタル放送エリア情報、及び該デジタル放送エリアにおける番組情報を前記通信端末を介して前記情報センタから受信する放送情報受信手段（例えば後述する実施例の通信データ送受信器４３）と、前記デジタル放送エリア情報、及び前記番組情報を蓄積するための蓄積手段（例えば後述する実施例のデジタル放送データ蓄積器２６）を備えたデジタル放送を受信するデジタル放送受信機（例えば後述する実施例のデジタル放送受信機１２）とを具備し、前記情報センタが、前記通信端末から送信された前記移動体の目的地情報及び現在地情報を受信して該移動体の経路情報を算出し、該経路情報に基づいて前記移動体の経路上のデジタル放送エリアを判定すると共に、判定されたデジタル放送エリア情報、及び該デジタル放送エリアにおける番組情報を前記移動体へ送信することを特徴とする。
【００１１】
以上の構成を備えた移動体デジタル放送受信システムは、移動体が、位置評定手段により現在地を評定し、通信端末を介して位置情報送信手段により情報センタへ目的地情報及び現在地情報を送信するので、情報センタにおいて、移動体から送信された目的地情報及び現在地情報を受信して該移動体の経路情報を算出し、該経路情報に基づいて移動体の経路上のデジタル放送エリアを判定すると共に、判定されたデジタル放送エリア情報、及び該デジタル放送エリアにおける番組情報を予め移動体へ送信する。一方、移動体では、経路情報の算出を行うことなく、情報センタから移動体の経路上のデジタル放送エリア情報、及び該デジタル放送エリアにおける番組情報を放送情報受信手段により受信して、デジタル放送受信機に備えられた蓄積手段に蓄積することにより、その移動に伴って変化するデジタル放送エリア及び受信番組を、事前に情報センタから受信したデジタル放送エリア情報、及び該デジタル放送エリアにおける番組情報に基づいて切り替えることができる。
【００１２】
請求項３の発明に係る移動体デジタル放送受信システムは、請求項１、または請求項２に記載の移動体デジタル放送受信システムにおいて、少なくとも前記番組情報が、前記デジタル放送エリアを前記移動体が通過する予定時刻帯の番組情報を含むことを特徴とする。
【００１３】
以上の構成を備えた移動体デジタル放送受信システムは、事前に情報センタから取得する番組情報を、少なくとも移動体が各デジタル放送エリアを通過する予定時刻帯の番組情報とすることにより、情報センタから移動体への通信に係る情報量を必要最低限の情報量とすると共に、移動体では、蓄積手段に最小限のデジタル放送エリア情報及び番組情報を記憶しておくだけで、その移動に伴って変化するデジタル放送エリア及び受信番組を適切に切り替えることができる。
【００１４】
請求項４の発明に係る移動体デジタル放送受信システムは、請求項１から請求項３のいずれかに記載の移動体デジタル放送受信システムにおいて、前記目的地までの経路が変更された場合、前記放送情報受信手段が、経路変更前と経路変更後における前記デジタル放送エリア情報及び前記番組情報の差分を更新することを特徴とする。
【００１５】
以上の構成を備えた移動体デジタル放送受信システムは、放送情報受信手段が、目的地までの経路変更前と経路変更後におけるデジタル放送エリア情報及び番組情報の差分を更新することにより、情報センタ及び移動体の処理負担を軽減すると共に、情報センタから移動体への通信に係る情報量を必要最低限の情報量とすることができる。
【００１６】
請求項５の発明に係る移動体デジタル放送受信システムは、請求項１から請求項４のいずれかに記載の移動体デジタル放送受信システムにおいて、前記デジタル放送受信機が、デジタル放送の受信品質を判定する受信品質判定手段（例えば後述する実施例の受信レベル判定器２２）と、受信番組を変更する番組変更手段（例えば後述する実施例のチャンネル選択器２８）とを備え、前記受信品質判定手段の判定結果により受信障害が発生しそうな事態を検出した場合、受信障害が発生する前に、前記番組変更手段が、前記蓄積手段に蓄積された前記デジタル放送エリア情報に基づいて、受信番組を受信可能なデジタル放送エリアの番組に変更することを特徴とする。
【００１７】
以上の構成を備えた移動体デジタル放送受信システムは、受信品質判定手段による判定結果に従って、番組変更手段が、受信障害が発生する前に受信する番組を受信可能なデジタル放送エリアの番組に変更することにより、移動体が放送エリア間を移動しても、移動体において中断することなくデジタル放送を継続受信することができる。
【００１８】
請求項６の発明に係る移動体デジタル放送受信システムは、請求項５に記載の移動体デジタル放送受信システムにおいて、前記受信可能なデジタル放送エリアの番組中に受信していた番組と同じ番組がある場合には、前記番組変更手段が、受信番組を前記受信可能なデジタル放送エリアの同じ番組に変更することを特徴とする。
【００１９】
以上の構成を備えた移動体デジタル放送受信システムは、番組変更手段が、受信番組を受信可能なデジタル放送エリアの同じ番組に変更することにより、移動体が放送エリア間を移動しても、移動体において中断することなく同じ番組を継続受信することができる。
【００２０】
請求項７の発明に係る情報センタは、移動体（例えば後述する実施例の移動体装置１）に設置された通信端末（例えば後述する実施例の通信端末１６）との通信を行う通信手段（例えば後述する実施例の情報入力部１０１及び情報出力部１０５）と、前記通信手段を介して受信した前記移動体の経路情報に基づいて、前記移動体の経路上のデジタル放送エリアを判定し、デジタル放送エリア情報を出力する放送エリア判定手段（例えば後述する実施例の放送エリア判定部１０２）と、判定された前記デジタル放送エリアの番組情報を取得する番組情報判定手段（例えば後述する実施例の番組情報判定部１０３）と、前記デジタル放送エリア情報、及び該デジタル放送エリアの番組情報を、前記通信手段を介して前記移動体へ送信する送信手段（例えば後述する実施例の演算処理部１０４）とを有することを特徴とする。
【００２１】
以上の構成を備えた情報センタは、通信手段により移動体から受信した該移動体の経路情報に基づいて、放送エリア判定手段が、移動体の経路上のデジタル放送エリアを判定してデジタル放送エリア情報を出力すると共に、番組情報判定手段が、判定されたデジタル放送エリアの番組情報を取得する。そして、送信手段が、移動体の経路上のデジタル放送エリア及びその番組情報を移動体へ送信することにより、移動体にデジタル放送エリアの判定に要する負担をかけずに、目的地までの経路上のデジタル放送エリア及びその番組情報を移動体に提供することができる。
【００２２】
請求項８の発明に係る情報センタは、移動体（例えば後述する実施例の移動体装置１）に設置された通信端末（例えば後述する実施例の通信端末１６）との通信を行う通信手段（例えば後述する実施例の情報入力部１０１及び情報出力部１０５）と、前記通信手段を介して受信した前記移動体の目的地情報及び現在地情報から該移動体の経路情報を算出して、該経路情報に基づいて前記移動体の経路上のデジタル放送エリアを判定し、デジタル放送エリア情報を出力する放送エリア判定手段（例えば後述する実施例の放送エリア判定部１０２）と、判定された前記デジタル放送エリアの番組情報を取得する番組情報判定手段（例えば後述する実施例の番組情報判定部１０３）と、前記デジタル放送エリア情報、及び該デジタル放送エリアの番組情報を、前記通信手段を介して前記移動体へ送信する送信手段（例えば後述する実施例の演算処理部１０４）とを有することを特徴とする。
【００２３】
以上の構成を備えた情報センタは、通信手段により移動体から受信した該移動体の目的地情報及び現在地情報に基づいて、放送エリア判定手段が、移動体の経路情報を算出して経路上のデジタル放送エリアを判定し、デジタル放送エリア情報を出力すると共に、番組情報判定手段が、判定されたデジタル放送エリアの番組情報を取得する。そして、送信手段が、移動体の経路上のデジタル放送エリア及びその番組情報を移動体へ送信することにより、移動体にデジタル放送エリアの判定及び経路情報の算出に要する負担をかけずに、目的地までの経路上のデジタル放送エリア及びその番組情報を移動体に提供することができる。
【００２４】
請求項９の発明に係る情報センタは、請求項７、または請求項８に記載の情報センタにおいて、少なくとも前記番組情報が、前記デジタル放送エリアを前記移動体が通過する予定時刻帯の番組情報を含むことを特徴とする。
【００２５】
以上の構成を備えた情報センタは、移動体へ送信する番組情報を、少なくとも移動体が各デジタル放送エリアを通過する予定時刻帯の番組情報とすることにより、移動体への通信における情報量を必要最低限のものとすることができる。
【００２６】
請求項１０の発明に係る移動体は、外部との通信を行う通信端末（例えば後述する実施例の通信端末１６）と、目的地までの経路情報を算出する経路情報算出手段（例えば後述する実施例の経路誘導算出器４２）と、前記経路情報算出手段が出力する目的地までの経路情報を前記通信端末を介して情報センタ（例えば後述する実施例の情報センタ２）へ送信する経路情報送信手段（例えば後述する実施例の通信データ送受信器４３）と、前記目的地までの経路上のデジタル放送エリア情報、及び該デジタル放送エリアにおける番組情報を前記通信端末を介して前記情報センタから受信する放送情報受信手段（例えば後述する実施例の通信データ送受信器４３）と、前記デジタル放送エリア情報、及び前記番組情報を蓄積するための蓄積手段（例えば後述する実施例のデジタル放送データ蓄積器２６）を備えたデジタル放送を受信するデジタル放送受信機（例えば後述する実施例のデジタル放送受信機１２）とを備えた移動体において、前記デジタル放送受信機が、デジタル放送の受信品質を判定する受信品質判定手段（例えば後述する実施例の受信レベル判定器２２）と、受信番組を変更する番組変更手段（例えば後述する実施例のチャンネル選択器２８）とを備え、前記受信品質判定手段の判定結果により受信障害が発生しそうな事態を検出した場合、受信障害が発生する前に、前記番組変更手段が、前記蓄積手段に蓄積された前記デジタル放送エリア情報に基づいて、受信番組を受信可能なデジタル放送エリアの番組に変更することを特徴とする。
【００２７】
以上の構成を備えた移動体は、経路情報算出手段により算出した目的地までの経路情報を、経路情報送信手段が通信端末を介して情報センタへ送信すると、情報センタから移動体の経路上のデジタル放送エリア情報、及び該デジタル放送エリアにおける番組情報が送信されるので、これを放送情報受信手段により受信してデジタル放送受信機に備えられた蓄積手段に蓄積する。一方、デジタル放送受信機に備えられた受信品質判定手段が、デジタル放送の受信品質を判定し、受信障害が発生しそうな事態を検出した場合、受信障害が発生する前に、番組変更手段が、受信番組を受信可能な他のデジタル放送エリアの番組に変更することにより、放送エリア間を移動しても中断することなくデジタル放送を継続受信することができる。
【００２８】
請求項１１の発明に係る移動体は、外部との通信を行う通信端末（例えば後述する実施例の通信端末１６）と、現在地を評定する位置評定手段（例えば後述する実施例の自車位置評定装置４１）と、目的地情報及び前記位置評定手段が出力する現在地情報を前記通信端末を介して情報センタ（例えば後述する実施例の情報センタ２）へ送信する位置情報送信手段（例えば後述する実施例の通信データ送受信器４３）と、前記目的地情報と前記現在地情報とに基づく経路上のデジタル放送エリア情報、及び該デジタル放送エリアにおける番組情報を前記通信端末を介して前記情報センタから受信する放送情報受信手段（例えば後述する実施例の通信データ送受信器４３）と、前記デジタル放送エリア情報、及び前記番組情報を蓄積するための蓄積手段（例えば後述する実施例のデジタル放送データ蓄積器２６）を備えたデジタル放送を受信するデジタル放送受信機（例えば後述する実施例のデジタル放送受信機１２）とを備えた移動体において、前記デジタル放送受信機が、デジタル放送の受信品質を判定する受信品質判定手段（例えば後述する実施例の受信レベル判定器２２）と、受信番組を変更する番組変更手段（例えば後述する実施例のチャンネル選択器２８）とを備え、前記受信品質判定手段の判定結果により受信障害が発生しそうな事態を検出した場合、受信障害が発生する前に、前記番組変更手段が、前記蓄積手段に蓄積された前記デジタル放送エリア情報に基づいて、受信番組を受信可能なデジタル放送エリアの番組に変更することを特徴とする。
【００２９】
以上の構成を備えた移動体は、位置評定手段により現在地を評定し、位置情報送信手段が、目的地情報及び現在地情報を通信端末を介して情報センタへ送信すると、情報センタから移動体の経路上のデジタル放送エリア情報、及び該デジタル放送エリアにおける番組情報が送信されるので、これを放送情報受信手段により受信してデジタル放送受信機に備えられた蓄積手段に蓄積する。一方、デジタル放送受信機に備えられた受信品質判定手段が、デジタル放送の受信品質を判定し、受信障害が発生しそうな事態を検出した場合、受信障害が発生する前に、番組変更手段が、受信番組を受信可能な他のデジタル放送エリアの番組に変更する。これにより、目的地情報と現在地情報を情報センタへ通知するだけで経路上のデジタル放送エリア情報、及び該デジタル放送エリアにおける番組情報を取得し、放送エリア間を移動しても中断することなくデジタル放送を継続受信することができる。
【００３０】
請求項１２の発明に係る移動体は、請求項１０、または請求項１１に記載の移動体において、少なくとも前記番組情報が、前記デジタル放送エリアを通過する予定時刻帯の番組情報を含むことを特徴とする。
【００３１】
以上の構成を備えた移動体は、事前に情報センタから取得する番組情報を、少なくとも移動体が各デジタル放送エリアを通過する予定時刻帯の番組情報とすることにより、情報センタから移動体への通信に係る情報量を必要最低限の情報量とすると共に、蓄積手段に最小限のデジタル放送エリア情報及び番組情報を記憶しておくだけで、その移動に伴って変化するデジタル放送エリア及び受信番組を適切に切り替えることができる。
【００３２】
請求項１３の発明に係る移動体は、請求項１０から請求項１２のいずれかに記載の移動体において、前記目的地までの経路が変更された場合、前記放送情報受信手段が、経路変更前と経路変更後における前記デジタル放送エリア情報及び前記番組情報の差分を更新することを特徴とする。
【００３３】
以上の構成を備えた移動体は、放送情報受信手段が、目的地までの経路変更前と経路変更後におけるデジタル放送エリア情報及び番組情報の差分を更新することにより、情報センタ及び移動体の処理負担を軽減すると共に、情報センタから移動体への通信に係る情報量を必要最低限の情報量とすることができる。
【００３４】
請求項１４の発明に係る移動体は、請求項１０から請求項１３のいずれかに記載の移動体において、前記受信可能なデジタル放送エリアの番組中に受信していた番組と同じ番組がある場合には、前記番組変更手段が、受信番組を前記受信可能なデジタル放送エリアの同じ番組に変更することを特徴とする。
【００３５】
以上の構成を備えた移動体は、番組変更手段が、受信番組を受信可能なデジタル放送エリアの同じ番組に変更することにより、放送エリア間を移動しても中断することなく同じ番組を継続受信することができる。
【発明の効果】
【００３６】
請求項１に記載の移動体デジタル放送受信システムによれば、移動体は、その移動に伴って変化するデジタル放送エリア及び受信番組を、事前に情報センタから受信したデジタル放送エリア情報、及び該デジタル放送エリアにおける番組情報に基づいて切り替えることができる。
従って、移動体においてデジタル放送を受信する際に、放送エリア間を移動しても、移動体側に処理負担をかけることなく、更に利用者の操作を介さずに自動的に適切な受信番組を受信することができる移動体デジタル放送受信システムを実現することができるという効果が得られる。
【００３７】
請求項２に記載の移動体デジタル放送受信システムによれば、移動体は、経路情報の算出を行うことなく、その移動に伴って変化するデジタル放送エリア及び受信番組を、事前に情報センタから受信したデジタル放送エリア情報、及び該デジタル放送エリアにおける番組情報に基づいて切り替えることができる。
従って、移動体においてデジタル放送を受信する際に、移動体の経路情報も情報センタ側で算出することで、放送エリア間を移動しても、利用者の操作を介さずに自動的に適切な受信番組を受信することができる、移動体の処理負担をより軽減した移動体デジタル放送受信システムを実現することができるという効果が得られる。
【００３８】
請求項３に記載の移動体デジタル放送受信システムによれば、移動体は、蓄積手段に最小限のデジタル放送エリア情報及び番組情報を記憶しておくだけで、その移動に伴って変化するデジタル放送エリア及び受信番組を適切に切り替えることができる。
従って、蓄積手段の大きさを最小限に留めることが可能となり、移動体を小型化することができる、あるいは移動体に占めるデジタル放送受信のための装置部分の割り合いを減少させることができるという効果が得られる。
【００３９】
請求項４に記載の移動体デジタル放送受信システムによれば、情報センタ及び移動体の処理負担を軽減すると共に、情報センタから移動体への通信に係る情報量を必要最低限の情報量とすることができる。
従って、情報センタから移動体への通信のトラフィック（トラヒック）及びそれぞれの処理負担が減少し、通信時間を短縮化することができるので、情報センタ及び移動体における電力消費量を削減することができると共に、移動体１台あたりの通信時間の短縮化により、情報センタから各移動体への通信の応答性を向上させることができるという効果が得られる。
【００４０】
請求項５に記載の移動体デジタル放送受信システムによれば、移動体が放送エリア間を移動しても、移動体において中断することなくデジタル放送を継続受信することができる。
従って、移動体においてデジタル放送を受信する際に、放送エリア間を移動しても、利用者の操作を介さずに自動的に受信番組を変更し、中断することなくデジタル放送を継続受信可能な移動体デジタル放送受信システムを実現することができるという効果が得られる。
【００４１】
請求項６に記載の移動体デジタル放送受信システムによれば、移動体が放送エリア間を移動しても、移動体において中断することなく同じ番組を継続受信することができる。
従って、移動体においてデジタル放送を受信する際に、放送エリア間を移動しても、利用者の操作を介さずに自動的に同じ番組を中断することなく継続受信可能な移動体デジタル放送受信システムを実現することができるという効果が得られる。
【００４２】
請求項７に記載の情報センタによれば、移動体にデジタル放送エリアの判定に要する負担をかけずに、目的地までの経路上のデジタル放送エリア及びその番組情報を移動体に提供することができる。
従って、移動体においてデジタル放送を受信する際に、移動体の処理負担を軽減可能な情報センタを実現することができるという効果が得られる。
【００４３】
請求項８に記載の情報センタによれば、移動体にデジタル放送エリアの判定及び経路情報の算出に要する負担をかけずに、目的地までの経路上のデジタル放送エリア及びその番組情報を移動体に提供することができる。
従って、移動体においてデジタル放送を受信する際に、移動体の処理負担をより軽減可能な情報センタを実現することができるという効果が得られる。
【００４４】
請求項９に記載の情報センタによれば、移動体への通信における情報量を必要最低限のものとすることができる。
従って、情報センタから移動体への通信のトラフィック（トラヒック）が減少し、通信時間を短縮化することができるので、情報センタ及び移動体における電力消費量を削減することができると共に、移動体１台あたりの通信時間の短縮化により、情報センタから各移動体への通信の応答性を向上させることができるという効果が得られる。
【００４５】
請求項１０に記載の移動体によれば、放送エリア間を移動しても中断することなくデジタル放送を継続受信することができる。
従って、デジタル放送を受信する際に、放送エリア間を移動しても、利用者の操作を介さずに自動的に受信番組を変更し、中断することなくデジタル放送を継続受信可能な移動体を実現することができるという効果が得られる。
【００４６】
請求項１１に記載の移動体によれば、目的地情報と現在地情報を情報センタへ通知するだけで経路上のデジタル放送エリア情報、及び該デジタル放送エリアにおける番組情報を取得し、放送エリア間を移動しても中断することなくデジタル放送を継続受信することができる。
従って、デジタル放送を受信する際に、デジタル放送エリアの判定に要する負担を負うことなく、放送エリア間を移動しても、利用者の操作を介さずに自動的に受信番組を変更し、中断することなくデジタル放送を継続受信可能な移動体を実現することができるという効果が得られる。
【００４７】
請求項１２に記載の移動体によれば、蓄積手段に最小限のデジタル放送エリア情報及び番組情報を記憶しておくだけで、移動に伴って変化するデジタル放送エリア及び受信番組を適切に切り替えることができる。
従って、蓄積手段の大きさを最小限に留めることが可能となり、移動体を小型化することができる、あるいは移動体に占めるデジタル放送受信のための装置部分の割り合いを減少させることができるという効果が得られる。
【００４８】
請求項１３に記載の移動体によれば、情報センタ及び移動体の処理負担を軽減すると共に、情報センタから移動体への通信に係る情報量を必要最低限の情報量とすることができる。
従って、情報センタから移動体への通信のトラフィック（トラヒック）及びそれぞれの処理負担が減少し、通信時間を短縮化することができるので、情報センタ及び移動体における電力消費量を削減することができると共に、移動体１台あたりの通信時間の短縮化により、情報センタから各移動体への通信の応答性を向上させることができるという効果が得られる。
【００４９】
請求項１４に記載の移動体によれば、放送エリア間を移動しても中断することなく同じ番組を継続受信することができる。
従って、デジタル放送を受信する際に、放送エリア間を移動しても、利用者の操作を介さずに自動的に同じ番組を中断することなく継続受信可能な移動体を実現することができるという効果が得られる。
【発明を実施するための最良の形態】
【００５０】
以下、図面を参照して本発明の実施例について説明する。
【実施例】
【００５１】
（移動体装置の構成）
まず、本発明の一実施例の移動体デジタル放送受信システムで利用される移動体装置１の構成について説明する。図１は、本実施例の移動体デジタル放送受信システムで利用される移動体装置１の構成を示すブロック図である。
図１において、本実施例の移動体デジタル放送受信システムで利用される移動体装置１は、例えば自動車等の車両に搭載された装置であって、車両に搭載されたデジタル放送用アンテナ１１により受信した放送波によりデジタル放送を受信するデジタル放送受信機１２と、車両に搭載されたＧＰＳアンテナ１３によるＧＰＳ（Global Positioning System ）受信波により自車両の位置（自車位置）を評定し、現在地から目的地までの経路情報を算出してナビゲーションを行う装置であって、走行状況及びそれに付随するデータの表示機能を有するナビゲーションユニット１４と、通信アンテナ１５により外部との通信を行う通信端末１６とを備えている。
【００５２】
一方、デジタル放送受信機１２について、更に具体的に説明すると、デジタル放送受信機１２は、デジタル放送用アンテナ１１に接続されると共に、デジタル放送波を復調する受信機２１と、デジタル放送波の受信レベルを検出する受信レベル判定器２２と、デジタル放送波の復調後に視聴番組情報とデータ放送情報とを分離する多重分離器２３と、データ放送情報から番組情報（Electronic Program Guide：電子番組ガイド）を取得する番組情報取得器２４とを備えている。
【００５３】
また、デジタル放送受信機１２は、通信端末１６を用いた外部とのデータ通信により取得したデジタル放送データを復調するデジタル放送データ生成器２５と、復調されたデジタル放送データから番組情報を抽出し、番組情報取得器２４が取得した番組情報と合わせて蓄積するデジタル放送データ蓄積器２６と、番組情報取得器２４が取得した番組情報あるいはデジタル放送データから抽出された番組情報の出力を処理するＥＰＧ処理器２７と、受信レベル判定結果と自車位置評定結果と蓄積された番組情報とからチャンネルの自動選択を行うチャンネル選択器２８と、チャンネル選択器２８により選択された映像、音声、データ情報をそれぞれ復号する映像・音声・データ復号器２９とを備えている。
【００５４】
更に、デジタル放送受信機１２は、映像・音声・データ復号器２９により複合された映像・音声データ情報に、ＥＰＧ処理器２７が出力するＥＰＧ等のデータ情報の重ね合わせを行う表示内容合成器３０と、表示内容合成器３０の出力する合成内容を表示するデジタル放送表示器３１とを備えている。
【００５５】
一方、ナビゲーションユニット１４は、ＧＰＳアンテナ１３に接続されると共に、ＧＰＳ受信波により自車位置を評定する自車位置評定装置４１と、ユーザーによる目的地設定操作を基に経路誘導情報（経路情報）を算出する経路誘導算出器４２と、通信端末１６を用いた外部とのデータ通信において送信するデータの生成を行う通信データ送受信器４３とを備えている。また、通信データ送受信器４３は、通信端末１６を用いた外部とのデータ通信においてデータを受信し、受信データをデジタル放送受信機１２のデジタル放送データ生成器２５、及び後述するルート情報生成器４４に出力する。
【００５６】
また、ナビゲーションユニット１４は、通信端末１６を用いた外部とのデータ通信により取得した走行情報に関するデータに基づいて経路表示情報を生成するルート情報生成器４４と、生成された経路表示情報を表示する情報表示器４５とを備えている。
そして、通信端末１６は、通信アンテナ１５に接続された通信機５１を備えている。
なお、ナビゲーションユニット１４の自車位置評定装置４１において自車位置を評定する方法は、ＧＰＳ受信波に依らずジャイロデータ等を利用するようにしても良い。
【００５７】
（情報センタの構成）
次に、本発明の一実施例の移動体デジタル放送受信システムで利用される情報センタ２の構成について説明する。図２は、本実施例の移動体デジタル放送受信システムで利用される情報センタ２の構成を示すブロック図である。
図２において、本実施例の移動体デジタル放送受信システムで利用される情報センタ２は、自動車等の車両に搭載された移動体装置１の通信端末１６と無線通信を行い、移動体装置１から車両の経路情報を受信するための情報入力部１０１と、経路上のデジタル放送エリアを判定する放送エリア判定部１０２から、情報入力部１０１により受信した車両の経路情報で表される経路に対応するデジタル放送エリアを取得すると共に、該デジタル放送エリアにおける番組情報を番組情報判定部１０３から取得する演算処理部１０４とを備えている。また、情報センタ２は、移動体装置１の通信端末１６へ無線通信により情報を送信するための情報出力部１０５を備えている。
【００５８】
具体的には、放送エリア判定部１０２は、車両の経路情報が演算処理部１０４から入力されると、入力された車両の経路情報により指定される座標が属するデジタル放送エリアを、基地局あるいは中継局で分類される多数のデジタル放送エリアに関する情報をデジタル放送エリアに区画された座標として蓄積する放送エリア情報データベース１０６から抽出して演算処理部１０４に出力する。
【００５９】
また、番組情報判定部１０３は、放送エリア判定部１０２により判定されたデジタル放送エリアの情報が演算処理部１０４を介して入力されると、該デジタル放送エリアにおける、例えば利用者による現視聴番組及び受信データや、利用者の選択により視聴可能な番組及び受信可能なデータの情報を、デジタル放送エリア毎に視聴可能な番組及び受信可能なデータの情報を蓄積する番組情報データベース１０７から抽出して演算処理部１０４へ出力する。
【００６０】
そして、演算処理部１０４は、番組情報判定部１０３により判定された該デジタル放送エリアにおける受信可能な番組及び受信データの情報を番組情報として、放送エリア判定部１０２により判定されたデジタル放送エリアの情報と共に、情報出力部１０５を介して移動体装置１の通信端末１６へ無線通信により送信する。
【００６１】
（番組視聴・データ受信処理）
次に、本実施例の移動体デジタル放送受信システムで利用される移動体装置１における番組視聴・データ受信処理について説明する。図３は、本実施例の移動体デジタル放送受信システムで利用される移動体装置１における番組視聴・データ受信処理動作を示すフローチャートである。
図３において、まず、受信機２１がデジタル放送用アンテナ１１により放送波を受信する（ステップＳ１）と、多重分離器２３は、デジタル放送用アンテナ１１により受信された放送波から、視聴番組の映像・音声データ等の視聴番組情報と、表示用のデータ情報や番組情報等のデータ放送情報とを分離する（ステップＳ２）。
【００６２】
一方、番組情報取得器２４は、データ放送情報から番組情報を取得してＥＰＧ処理器２７へ入力すると共に、チャンネル選択器２８が、入力された番組情報からデフォルトの映像/音声/データ情報の表示を選択し、表示内容合成器３０により視聴番組とデータ情報とを合成してデジタル放送表示器３１に表示する（ステップＳ３）。
ここで、図４にデジタル放送表示器３１に表示される視聴番組と番組情報の合成後の例を示す。番組情報は現在の時刻に対し数時間分、複数チャンネルのため一度に表示できない場合には２ページに渡って表示する等が考えられる。
【００６３】
その後、チャンネル選択器２８は、利用者による情報表示選択の有無を判定し（ステップＳ４）、もし利用者による情報表示選択があれば（ステップＳ４のＹＥＳ）、利用者による情報表示選択に従い、チャンネル選択器２８から映像・音声・データ復号器２９に指示がなされ、デジタル放送表示器３１に視聴番組・受信データの表示がなされる（ステップＳ５）。
そして、デジタル放送データ蓄積器２６により、現チャンネル情報を現チャンネル情報Ｄ１として記憶する（ステップＳ６）。
なお、ステップＳ４において、利用者による情報表示選択がなければ（ステップＳ４のＮＯ）、デフォルトの視聴番組・受信データの表示がなされ、現チャンネル情報Ｄ１を記憶する（ステップＳ６）。
【００６４】
（経路上のデジタル放送エリア情報と番組情報の取得処理）
次に、本実施例の移動体デジタル放送受信システムで利用される移動体装置１における経路上のデジタル放送エリア情報と番組情報の取得処理について説明する。図５は、本実施例の移動体デジタル放送受信システムで利用される移動体装置１における経路上のデジタル放送エリア情報と番組情報の取得処理動作を示すフローチャートである。
図５において、まず、ナビゲーションユニット１４の自車位置評定装置４１が、ＧＰＳデータやジャイロデータＤ２に基づいて自車位置の評定を行い、自車位置データＤ３を出力する（ステップＳ１１）。
【００６５】
次に、利用者による目的地設定が行われたか否かを判定し（ステップＳ１２）、利用者による目的地設定が行われると（ステップＳ１２のＹＥＳ）、経路誘導算出器４２が目的地に対する最適な経路誘導情報を算出する（ステップＳ１３）。
一方、通信データ送受信器４３は、経路誘導算出器４２により算出された経路誘導情報に基づき、特徴点（例えば、進路変更個所等）、もしくは道路リンク等の情報を含む送信データを生成し、通信端末１６の通信機５１を介して、情報センタ２とのデータ通信を行う（ステップＳ１４）。
【００６６】
ここで、図６に通信データ送受信器４３により生成される送信データ例を示す。例えば図６（ａ）に示すＡ（Ｘａ、Ｙａ）、Ｂ（Ｘｂ、Ｙｂ）、Ｃ（Ｘｃ、Ｙｃ）、Ｄ（Ｘｄ、Ｙｄ）・・・のように、経路誘導情報に対する特徴点でデータを生成する場合、全ての交差点ポイントの座標点、交差点名称、エリアコード等で送信データを構成することが考えられる。また、例えば図６（ｂ）に示すＬｉｎｋ１、ＬｉｎｋＡ、Ｌｉｎｋ２、ＬｉｎｋＢ、Ｌｉｎｋ３・・・のように、道路リンクで送信データを生成する場合、全ての道路リンク番号、分岐ノード等で送信データを構成することが考えられる。
【００６７】
また、情報センタ２が、送信されてきた経路誘導情報を基にルート情報を算出し、更に該経路誘導情報で示された経路上のデジタル放送エリア情報を判定して、該デジタル放送エリアの番組情報を生成するので、通信データ送受信器４３は、通信端末１６の通信機５１を介して、情報センタ２とのデータ通信により、車両の経路上のデジタル放送エリア情報、及び該デジタル放送エリアの番組情報を、ルート情報と共に返信データとして受信し解析する（ステップＳ１５）。
【００６８】
ここで、図７に情報センタ２からの受信データ例を示す。例えば、情報センタ２では、移動体装置１から受信した経路誘導情報に対し、例えばエリア１、２、３のように、複数のデジタル放送エリアが設定されている時、情報センタ２は、デジタル放送エリアの重なった領域に進入する時刻を推定し、その時刻に対して例えば２時間前後程度の次のデジタル放送エリアの番組情報を生成してルート情報と共に返信する。なお、情報センタ２側の処理については、詳細を後述する。
【００６９】
一方、通信データ送受信器４３は、通信端末１６の通信機５１により受信した受信データを、ルート情報と、経路上のデジタル放送エリア情報、及び該デジタル放送エリアの番組情報等のデジタル放送に関する情報とに分離する（ステップＳ１６）。
そして、ルート情報はナビゲーションユニット１４のルート情報生成器４４により処理されて情報表示器４５に表示されると共に、経路上のデジタル放送エリア情報、及び該デジタル放送エリアの番組情報等のデジタル放送に関する情報は、デジタル放送受信機１２内のデジタル放送データ生成器２５に入力され、デジタル放送データ生成器２５は、番組情報を抽出して（ステップＳ１７）、デジタル放送データ蓄積器２６に番組情報Ｄ４を蓄積する（ステップＳ１８）。
【００７０】
また、通信データ送受信器４３は、車両の移動において、経路誘導から外れたルートを走行しているか否かを判定し（ステップＳ１９）、もし経路誘導から外れたルートを走行し、既に受信したデジタル放送エリア情報と大きく異なるような経路誘導となる場合（ステップＳ１９のＹＥＳ）、ステップＳ１３へ戻り、再度情報センタ２とのデータ通信によりデジタル放送エリア情報及び番組情報の更新を行う。
また、ステップＳ１９において、経路誘導から外れない限りは（ステップＳ１９のＮＯ）、そのままとする。
【００７１】
なお、情報センタ２とのデータ通信によりデジタル放送エリア情報及び番組情報の更新を行う場合、再度情報センタ２で判定されたデジタル放送エリア情報及び番組情報と、既に受信したデジタル放送エリア情報及び番組情報との差分、すなわちデジタル放送エリア情報及び番組情報の変更前と変更後の差分について更新することにより、情報センタ２から移動体装置１への通信に係る情報量を削減することができる。
また、車両が経路誘導から外れたルートを走行している場合でも、再度情報センタ２で判定されたデジタル放送エリア情報及び番組情報と、既に受信したデジタル放送エリア情報及び番組情報との差が少ない場合には、空パケットの送受信や変更なしを示すデータの送受信を行うことにより、更に情報センタ２から移動体装置１への通信に係る情報量を削減することができる。
【００７２】
また、ステップＳ１２において、車両が移動を開始してしばらくしても利用者による目的地設定が無い場合（ステップＳ１２のＮＯ）、図８に示す移動体装置１における送受信データ例のように、通信データ送受信器４３により、移動体装置１から情報センタ２へ自車位置と方位データ（進行方向）等の簡易なデータ送信を行い（ステップＳ２０）、情報センタ２から、現放送エリアに対する隣接放送エリアの中で、走行する可能性のある隣接放送エリアの番組情報を返信するようにすれば、利用者による目的地設定時と同様に、ステップＳ１５からステップＳ１９の処理を実行することができる。
【００７３】
（デジタル放送エリア情報と番組情報の判定処理）
次に、本実施例の移動体デジタル放送受信システムで利用される情報センタ２におけるデジタル放送エリア情報と番組情報の判定処理について説明する。図９は、本実施例の移動体デジタル放送受信システムで利用される情報センタ２におけるデジタル放送エリア情報と番組情報の判定処理動作を示すフローチャートである。
図９において、まず、情報入力部１０１は、移動体装置１の通信端末１６から、車両の経路誘導情報を受信する（ステップＳ３１）。
次に、演算処理部１０４が、受信した経路誘導情報を情報入力部１０１から取得して、該経路誘導情報を放送エリア判定部１０２へ入力する（ステップＳ３２）。
【００７４】
一方、放送エリア判定部１０２は、入力された経路誘導情報により指定される座標が属する経路上のデジタル放送エリア情報を、放送エリア情報データベース１０６から抽出し、例えば図７に示すような（デジタル放送）エリア１、２、３と判定して、演算処理部１０４へ引き渡す（ステップＳ３３）。
これに対し、演算処理部１０４は、放送エリア判定部１０２により判定されたデジタル放送エリアに対する進入／退出時刻を算出し、デジタル放送エリア情報と共に番組情報判定部１０３へ入力する（ステップＳ３４）。
【００７５】
そして、番組情報判定部１０３は、入力されたデジタル放送エリア情報及びデジタル放送エリアに対する進入／退出時刻に基づいて、進入／退出時刻に対する一定幅、例えば前後２時間の幅を含んだ時刻帯の該当するデジタル放送エリアの番組情報を、番組情報データベース１０７から取得して一覧として生成し、演算処理部１０４へ引き渡す（ステップＳ３５）。なお、ここで言う番組情報とは、該当するデジタル放送エリアにおいて視聴可能な番組の情報の他、受信可能なデータの情報も含むものとする。
また、演算処理部１０４は、取得したデジタル放送エリア情報、及び該デジタル放送エリアにおける番組情報を、情報出力部１０５を介して、経路誘導情報を受信した移動体装置１の通信端末１６へ返信する（ステップＳ３６）。
【００７６】
（自動チャンネル変更処理）
次に、本実施例の移動体デジタル放送受信システムで利用される移動体装置１における自動チャンネル変更処理について説明する。図１０は、本実施例の移動体デジタル放送受信システムで利用される移動体装置１における自動チャンネル変更処理動作を示すフローチャートである。
図１０において、まず、受信機２１によるデジタル放送番組・及びデータ放送受信中（ステップＳ４１）、デジタル放送受信機１２内の受信レベル判定器２２は、車両の移動に伴って変化する受信レベルを随時計測し、受信レベルの判定を行う（ステップＳ４２）。なお、受信レベル判定器２２による受信レベルの判定には、受信機２１端における受信電圧／電界強度、あるいは受信波の復調後に得られるビット誤り率やパケット誤り率の指標を用いること等が考えられる。
【００７７】
また、チャンネル選択器２８は、受信レベル判定器２２から得られる受信レベル判定結果と、デジタル放送データ蓄積器２６に記憶された現チャンネル情報Ｄ１と、前述の経路上のデジタル放送エリア情報と番組情報の取得処理動作のステップＳ１１で自車位置評定装置４１から得られた自車位置データＤ３と、前述の経路上のデジタル放送エリア情報と番組情報の取得処理動作のステップＳ１８で情報センタ２から受信してデジタル放送データ蓄積器２６に蓄積された番組情報Ｄ４等が随時収集され、自動選局のスタンバイ状態となっている。
【００７８】
この状態で、チャンネル選択器２８は、受信に障害が発生しそうな事態が検出されたか否かを判定する（ステップＳ４３）。具体的には、ステップＳ４３では、受信レベル判定器２２の出力する受信レベルがしきい値を下回る、もしくは誤り率がしきい値を上回る等の事象が発生した場合を、受信に障害が発生しそうな事態とする。
もし、ステップＳ４３において、受信に障害が発生しそうな事態が検出された場合（ステップＳ４３のＹＥＳ）、チャンネル選択器２８は、自車位置データＤ３からデジタル放送データ蓄積器２６に蓄積されている他のデジタル放送エリアを選択する（ステップＳ４４）。
【００７９】
そして、選択したデジタル放送エリアの番組情報Ｄ４と現チャンネル情報Ｄ１による現視聴・データ受信放送番組とを照合し、同一番組があるか否かを判定する（ステップＳ４５）。
もし、ステップＳ４５において、選択したデジタル放送エリアに現視聴・データ受信放送番組と同一番組が存在する場合（ステップＳ４５のＹＥＳ）、チャンネル選択器２８は、選択したデジタル放送エリアの番組への切り替え準備を行い（ステップＳ４６）、現在のデジタル放送エリアと選択したデジタル放送エリアとの電界強度を比較する（ステップＳ４７）。
【００８０】
次に、チャンネル選択器２８は、電界強度から現在のデジタル放送エリアから選択したデジタル放送エリアへのエリア変更が可能か否かを判定し（ステップＳ４８）、可能であると判断した場合（ステップＳ４８のＹＥＳ）、選択したデジタル放送エリアの番組と現視聴番組との同期を取って（ステップＳ４９）、同期が取れた段階においてチャンネルの切り替えを行う（ステップＳ５０）。
そして、デジタル放送データ蓄積器２６により、現チャンネル情報を現チャンネル情報Ｄ１として記憶する（ステップＳ５１）。
なお、ステップＳ４８において、選択したデジタル放送エリアの電界強度が強くならずにエリア変更が不可能な場合（ステップＳ４８のＮＯ）、ステップＳ４７へ戻り、上述の処理を繰り返す。
【００８１】
一方、ステップＳ４５において、選択したデジタル放送エリアに現視聴・データ受信放送番組と同一番組が存在しない場合（ステップＳ４５のＮＯ）、チャンネル選択器２８は、利用者に番組を選択させるために、ＥＰＧ処理器２７を介して選択したデジタル放送エリアの番組情報Ｄ４を現視聴・データ受信放送番組と合成してデジタル情報表示器２２に表示する（ステップＳ５２）。
次に、チャンネル選択器２８は、利用者による情報表示選択の有無を判定し（ステップＳ５３）、もし利用者による情報表示選択があれば（ステップＳ５３のＹＥＳ）、ステップＳ４６へ進み、上述の処理を繰り返す。
また、ステップＳ５３において、利用者による情報表示選択がなければ（ステップＳ５３のＮＯ）、現視聴・データ受信放送番組の切り替えは行わず、自動チャンネル変更処理動作を終了する。
【００８２】
なお、上述の実施例では、経路誘導情報（経路情報）の算出を移動体装置１のナビゲーションユニット１４において実行したが、例えば図１１に示す移動体装置１における送受信データ例のように、移動体装置１から、自車位置と方位データ（進行方向）等の簡易なデータと目的地データのみを通信端末１６を介して情報センタ２へ送信し、情報センタ２側では地図情報データベースを備えて、情報センタ２の演算処理部１０４において渋滞等の状況を加味した最適な経路探索を実行しても良い。
【００８３】
具体的には、渋滞等の状況を加味する場合には、演算処理部１０４に対し、例えば道路交通情報通信システム等のデータベースをリンクさせて渋滞情報を取得することで、渋滞等の状況を加味した経路探索が可能となる。
また、演算処理部１０４に対し、例えば（財）日本気象協会等の気象情報データベースをリンクさせて気象条件を取得するように構成すると、演算処理部１０４において、車両の現在地から目的地までの間の気象条件を加味した経路探索を行うことも可能である。また、気象条件から走行エリアでの電波の伝搬あるいは減衰を考慮して、移動体装置１に備えられたアンテナ類の指向性制御を行うことも可能である。
【００８４】
また、情報センタ２側での最適な経路探索の条件として、デジタル放送エリアとのリンクや現視聴番組の視聴状況で一番効率の良い経路探索結果を返答するようにしてもよい。また、情報センタ２側で経路探索を行う場合、情報センタ２から移動体装置１へ、算出された経路誘導情報と共に、目的地までの経路上のデジタル放送エリア情報、及び該デジタル放送エリアにおける番組情報を付加したデータを送信することにより、上述の各処理と同様の手順、動作によりデジタル放送の自動チャンネル変更処理を実行することができる。
【００８５】
以上説明したように、本実施例の移動体デジタル放送受信システムによれば、移動体装置１が、経路誘導算出器４２により該移動体装置１を搭載した車両の経路情報を算出し、通信データ送受信器４３により、通信端末１６を介して情報センタ２へ該経路情報を送信するので、情報センタ２において、送信された車両の経路情報に基づいて経路上のデジタル放送エリアを判定すると共に、判定されたデジタル放送エリア情報、及び該デジタル放送エリアにおける番組情報を予め移動体装置１へ送信する。一方、移動体装置では、デジタル放送受信機１２に備えられたデジタル放送データ蓄積器２６に、情報センタ２から送信された車両の経路上のデジタル放送エリア情報、及び該デジタル放送エリアにおける番組情報を蓄積することにより、その移動に伴って変化するデジタル放送エリア及び受信番組を、事前に情報センタ２から受信したデジタル放送エリア情報、及び該デジタル放送エリアにおける番組情報に基づいて切り替えることができる。
【００８６】
従って、移動体装置１においてデジタル放送を受信する際に、車両が放送エリア間を移動しても、移動体装置１側に処理負担をかけることなく、更に利用者の操作を介さずに自動的に適切な受信番組を受信することができる移動体デジタル放送受信システムを実現することができるという効果が得られる。
なお、通信データ送受信器４３により、通信端末１６を介して移動体装置１から情報センタ２へ自車位置評定装置４１が出力する現在地情報を目的地情報と共に送信し、情報センタ２側で、受信した目的地情報及び現在地情報から移動体装置１を搭載した車両の経路情報を算出し、該経路情報に基づいて経路上のデジタル放送エリアを判定すると共に、判定されたデジタル放送エリア情報、及び該デジタル放送エリアにおける番組情報を予め移動体装置１へ送信するように構成すると、更に移動体装置１側の処理負担を軽減することができるという効果が得られる。
【００８７】
また、事前に情報センタ２から取得する番組情報を、少なくとも車両が各デジタル放送エリアを通過する予定時刻帯の番組情報とすることにより、情報センタ２から移動体装置１への通信に係る情報量を必要最低限の情報量とすると共に、移動体装置１では、デジタル放送データ蓄積器２６に最小限のデジタル放送エリア情報及び番組情報を記憶しておくだけで、その移動に伴って変化するデジタル放送エリア及び受信番組を適切に切り替えることができる。
従って、デジタル放送データ蓄積器２６に要求される記憶容量の大きさを最小限に留めることが可能となり、移動体装置を小型化することができる、あるいは移動体装置１に占めるデジタル放送受信機１２の部分の割り合いを減少させることができるという効果が得られる。
【００８８】
また、デジタル放送受信機１２は、目的地までの経路が変更された場合、経路変更前と経路変更後のデジタル放送エリア情報及び番組情報の差分を更新することにより、情報センタ２及び移動体装置１の処理負担を軽減すると共に、情報センタ２から移動体装置１への通信に係る情報量を必要最低限の情報量とすることができる。
従って、情報センタ２から移動体装置１への通信のトラフィック（トラヒック）及びそれぞれの処理負担が減少し、通信時間を短縮化することができるので、情報センタ２及び移動体装置１における電力消費量を削減することができると共に、移動体装置１台あたりの通信時間の短縮化により、情報センタ２から各移動体装置１への通信の応答性を向上させることができるという効果が得られる。
【００８９】
また、デジタル放送受信機１２において、例えば受信レベルを判定して、受信障害が発生しそうな事態を検出した場合、受信障害が発生する前に、チャンネル選択器２８が、受信番組を受信可能なデジタル放送エリアの番組に変更することにより、車両が放送エリア間を移動しても、移動体装置１において中断することなくデジタル放送あるいは同一番組を継続受信することができる。一方、同番組・データ情報が次の放送エリアに存在しない場合には、視聴番組・受信データが途切れる前に、利用者に状況を伝え、利用者の判断の基に継続受信か新規受信かの切り替えを行うことができる。
【００９０】
従って、移動体装置１側に処理負担をかけることなく、更に利用者の操作を介さずに自動的に適切な受信番組を受信し、放送エリアに依らずシームレスな放送視聴・データ受信が可能になるという効果が得られる。また、同番組・データ情報が次の放送エリアに存在しなくても、利用者のニーズに基づく放送視聴・データ受信が可能となるという効果が得られる。
【図面の簡単な説明】
【００９１】
【図１】本発明の一実施例の移動体デジタル放送受信システムで利用される移動体装置の構成を示すブロック図である。
【図２】同実施例の移動体デジタル放送受信システムで利用される情報センタの構成を示すブロック図である。
【図３】同実施例の移動体デジタル放送受信システムで利用される移動体装置における番組視聴・データ受信処理動作を示すフローチャートである。
【図４】移動体装置のデジタル表示器に表示される視聴番組と番組情報の合成後の例を示す図である。
【図５】同実施例の移動体デジタル放送受信システムで利用される移動体装置における経路上のデジタル放送エリア情報と番組情報の取得処理動作を示すフローチャートである。
【図６】移動体装置の通信データ送受信器により生成される送信データ例を示す図である。
【図７】情報センタからの受信データ例を示す図である。
【図８】移動体装置における送受信データ例を示す図である。
【図９】同実施例の移動体デジタル放送受信システムで利用される情報センタにおけるデジタル放送エリア情報と番組情報の判定処理動作を示すフローチャートである。
【図１０】同実施例の移動体デジタル放送受信システムで利用される移動体装置における自動チャンネル変更処理動作を示すフローチャートである。
【図１１】移動体装置における送受信データ例を示す図である。
【符号の説明】
【００９２】
１    移動体装置（移動体）
２    情報センタ
１２    デジタル放送受信機
１６    通信端末
２２    受信レベル判定器（受信品質判定手段）
２６    デジタル放送データ蓄積器（蓄積手段）
２８    チャンネル選択器（番組変更手段）
４１    自車位置評定装置（位置評定手段）
４２    経路誘導算出器（経路情報算出手段）
４３    通信データ送受信器（経路情報送信手段、位置情報送信手段、放送情報受信手段）
１０１    情報入力部（通信手段）
１０２    放送エリア判定部（放送エリア判定手段）
１０３    番組情報判定部（番組情報判定手段）
１０４    演算処理部（送信手段）
１０５    情報出力部（通信手段）
【図１】
2005277727.tif 000003
【図２】
2005277727.tif 000004
【図３】
2005277727.tif 000005
【図４】
2005277727.tif 000006
【図５】
2005277727.tif 000007
【図６】
2005277727.tif 000008
【図７】
2005277727.tif 000009
【図８】
2005277727.tif 000010
【図９】
2005277727.tif 000011
【図１０】
2005277727.tif 000012
【図１１】
2005277727.tif 000013